(57)【要約】【課題】  サービスマン以外の第三者がメンテナンスモードを起動して調整値を変更することを防止するために、メンテナンスモードの起動にはサービスマンのみが知るパスワードの入力が必要である。しかし、このパスワードが漏洩すると、第三者でも調整値を変更することができる。【解決手段】本発明のメンテナンスモード起動装置は、メンテナンスモードの起動に、メンテナンスモードを起動するプログラム又はメンテナンスモードの起動を指示するプログラムを必要とする。従って、パスワードが漏洩しても、第三者によってメンテナンスモードが起動されて調整値が変更されることはない。【選択図】  図１
2006018714.tif 000002
【特許請求の範囲】
【請求項１】
装着された記憶媒体にメンテナンスモードを起動するプログラムが記憶されているか否かを判別する判別手段と、
メンテナンスモードを起動するプログラムが記憶されている場合に、そのプログラムを読み出す読出手段と、
読み出されたプログラムを用いてメンテナンスモードを起動する起動手段を備えたことを特徴とするメンテナンスモード起動装置。
【請求項２】
メンテナンスモードを起動するプログラムが記憶された記憶手段と、
装着された記憶媒体にメンテナンスモードの起動を指示するプログラムが記憶されているか否かを判別する判別手段と、
メンテナンスモードの起動を指示するプログラムが記憶されている場合に、そのプログラムを読み出す読出手段と、
読み出されたプログラムを用いて、操作者からの起動指示を受け付ける受付手段と、
操作者からの起動指示が受け付けられると、上記記憶手段に記憶されたプログラムを用いてメンテナンスモードを起動する起動手段を備えたことを特徴とするメンテナンスモード起動装置。
【請求項３】
電源のオン・オフの切替を検知する電源検知手段と、
上記判別手段は、電源のオフからオンの切替が検知されたときに、上記判別をする請求項１または２に記載のメンテナンスモード起動装置。
【請求項４】
パスワードの入力手段と、
入力されたパスワードが正当なパスワードか否かを判断するパスワード判断手段とを備え、
上記起動手段は、正当なパスワードと判断されたときのみメンテナンスモードを起動する請求項１または２に記載のメンテナンスモード起動装置。  
【発明の詳細な説明】
【技術分野】
【０００１】
メンテナンスモードを備えた装置のメンテナンスモードを起動させるためのメンテナンスモード起動装置に関する。
【背景技術】
【０００２】
複合機、複写機、プリンタ等の画像処理装置においては、定着温度、Ａ／Ｄ変換する際の基準値などの調整値をメンテナンスモードで調整できるようになっている。各調整値は画質に影響を及ぼすため、メンテナンスモードの起動にはサービスマンのみが知るパスワードの入力が必要となっている。
【特許文献１】特開平２００３−２９８８０５号公報
【発明の開示】
【発明が解決しようとする課題】
【０００３】
しかし、上記パスワードがユーザ等のサービスマン以外の第三者に知られてしまうと、第三者に調整値が変更される虞がある。また、印刷枚数等に応じて課金する形態で画像処理装置がリースされている場合、パスワードを第三者に知られてしまうと、第三者がメンテナンスモードを起動して印刷枚数を変更する虞もある。
【０００４】
そこで、本発明は、第三者によって各調整値が変更されることを防止するメンテナンスモード起動装置を提供することを目的とする。
【課題を解決するための手段】
【０００５】
本発明のメンテナンスモード起動装置は、メンテナンスモードの起動に記憶媒体の装着を前提としている。メンテナンスモード起動装置は、装着された記憶媒体にメンテナンスモードを起動するプログラム又はメンテナンスモードの起動を指示するプログラムが記憶されているか否かを判別する判別手段を備える。メンテナンスモードの起動を指示するプログラムとは、サービスマンからのメンテナンスモードの起動指示を受けることで、メンテナンスモード起動装置の起動手段にメンテナンスモードを起動させるプログラムである。
【０００６】
上記判別手段によって上記プログラムが記憶されていると判別された場合、メンテナンスモード起動装置が備える読出手段によって記憶媒体からそのプログラムが読み出され、読み出されたプログラムが実行される。
【０００７】
この実行により、メンテナンスモード起動装置は、メンテナンスモードを起動したり、操作者からのメンテナンスモードの起動指示を受け付けることができる状態となる。
【０００８】
従って、上記した２つのプログラムのうち少なくとも１つのプログラムが記憶された記憶媒体を所持していなければ、サービスマンであっても第三者であってもメンテナンスモードを起動することができない。
【発明の効果】
【０００９】
以上のように、本発明のメンテナンスモード起動装置は、パスワードの第三者への漏洩による各調整値の変更を防ぐことができる。
【発明を実施するための最良の形態】
【００１０】
（実施の形態１）
本実施の形態では、メンテナンスモード起動装置を複合機に適合した場面について説明する。複合機１００は、複写、ＦＡＸ通信、スキャナなどの機能や、定着温度、Ａ／Ｄ変換の際の基準値などの調整値を変更するメンテナンス機能を備えている。
【００１１】
複合機のモニタ１０６の初期画面は、図２（ａ）に示すように、複写機能の画面となっており、この画面には、倍率の変更、用紙の選択、カラー／モノクロ印刷の切替を行うキーだけでなく、ＦＡＸ通信機能、スキャナ機能、メンテナンス機能の画面に切り替えるためのＦＡＸ通信キー２０２、スキャナキー２０３、メンテナンスキー２０４が表示されている。
【００１２】
サービスマンは、メンテナンス機能を実行する場合、複合機１００の電源を投入する前にメンテナンスモードを起動するプログラムが記憶された記憶媒体１１２を複合機１００に装着しておく。この記憶媒体１１２には、コンパクトフラッシュ（登録商標）等のメモリカード等を用いることができる。複合機１００の電源投入後、図２（ａ）に示すメンテナンスキー２０４を選択する。メンテナンスキー２０４が選択されると、図２（ｂ）に示すように、パスワードの入力欄のあるメンテナンス機能の画面がモニタ１０６に表示される。
【００１３】
ここで入力の要求されるパスワードは、サービスマンのみが知るパスワードである。サービスマンは、図２（ｂ）に示す画面が表示されると、複合機１００に設けられたテンキー等の入力手段１１０を使用してパスワードを入力する（図３、Ｓ３０１）。
【００１４】
上記入力手段１１０を介して入力されたパスワードは、判断手段１１１に入力される。上記判断手段１１１は、サービスマンのみが知る正当なパスワードを記憶しており、上記入力手段１１０から入力されたパスワードが正当なパスワードかどうかを判断する（図３、Ｓ３０２）。上記判断手段１１１は、正当なパスワードと判断すると、パスワードが正当である旨を起動手段１０３に通知する。一方、正当なパスワードでない場合、上記判断手段１１１は、パスワードが正当でない旨を表示して、モニタ１０６の表示を初期画面に戻す。
【００１５】
複合機１００の判別手段１０１は、記憶媒体１１２の装着を検知すると、記憶媒体１１２にメンテナンスモードを起動するプログラムが記憶されているか否かを判別する（図３、Ｓ３０３→Ｓ３０４）。
【００１６】
メンテナンスモードを起動するプログラムが記憶されていると判別されると、読出手段１０２は、記憶媒体１１２からそのプログラムを読み出して、上記起動手段１０３に渡す（図３、Ｓ３０５）。
【００１７】
上記起動手段１０３は、上記判断手段１１１からパスワードが正当である旨が通知され、上記読出手段１０２からプログラムを渡されると、そのプログラムを使用してメンテナンスモードを起動して、図４に示すようなメンテナンスモードの画面をモニタ１０６に表示する（図３、Ｓ３０６）。
【００１８】
メンテナンスモードの画面が表示されると、サービスマンは、所望のメンテナンスに関するキーを押下して、調整値の調整を行う。
【００１９】
以上のように、メンテナンスモードの画面は、正当なパスワードの入力と、メンテナンスモードを起動するプログラムが記憶された記憶媒体の装着が必要であるので、パスワードの漏洩があっても、第三者によってメンテナンスモードが起動されて、調整値が変更されることがない。
【００２０】
なお、メンテナンスモードを起動するプログラムは、サービスマンの指示に従って調整値の変更をするプログラムであっても、サービスマンの指示に従って調整値の変更をするプログラムを起動するだけのプログラムであってもよい。メンテナンスモードを起動するプログラムが、調整値の変更をもするプログラムである場合、複合機１００にメンテナンスに関するプログラムを全く記憶させなくても、調整値の変更を実現することができる。記憶媒体１１２に調整値の変更をもするプログラムを複合機１００に記憶させずに、記憶媒体１１２に調整値の変更をもするプログラムを記憶されていれば、この記憶媒体が第三者に渡らないかぎり第三者による調整値の変更を確実に防ぐことができるという効果を得ることができる。
【００２１】
なお、ステップ３０４の判別において、記憶媒体１１２にメンテナンスモードを起動するプログラムが記憶されていないと判別された場合、上記読出手段１０２は、メンテナンスモードを起動せずに、エラー画面等を表示したり、図２（ａ）に示す初期画面をモニタ１０６に表示したりする（図３、Ｓ３０４→終わり）。
（実施の形態２）
本実施の形態では、メンテナンスモードの起動に、正当なパスワードとメンテナンスモードの起動を指示するプログラムが記憶された記憶媒体１１２の装着が必要である場合について説明する。
【００２２】
実施の形態１のように、サービスマンは、複合機１００の電源投入前にメンテナンスモードを起動するプログラムが記憶された記憶媒体１１２を複合機１００に装着しておく。複写機１００の電源投入後、サービスマンは図２に示すメンテナンスキー２０４を押下して、正当なパスワードを入力する。上記判断手段１１１は、入力されたパスワードが正当なパスワードと判断すると、パスワードが正当である旨を受付手段１０４に通知する（図５、Ｓ５０１→Ｓ５０２）。
上記判断手段１０１は、記憶媒体１１２の装着を検知すると、記憶媒体１１２にメンテナンスモードの起動を指示するプログラムが記憶されているか否かを判別する（図５、Ｓ５０３→Ｓ５０４）。
【００２３】
メンテナンスモードの起動を指示するプログラムが記憶されていると判別されると、上記読出手段１０２は、記憶媒体１１２からそのプログラムを読み出して、上記受付手段１０４に渡す（図５、Ｓ５０５）。
【００２４】
上記受付手段１０４は、上記判断手段１１１からパスワードが正当である旨が通知され、上記読出手段１０２からプログラムを渡されると、図６に示すように、そのプログラムを使用してメンテナンスモードを起動するための項目をメニューに追加する（図５、Ｓ５０６）。
【００２５】
図６に示すように、メンテナンスモードを起動する項目が追加される前のメニューには、印刷、ステータス印刷、インターフェイス、・・・ライフカウンタ、その他の項目があり、本実施の形態では、上記受付手段１０４はメニューの最後にメンテナンスモードを起動する項目６０１を追加する。
【００２６】
メンテナンスモードを起動する項目６０１を追加すると、上記受付手段１０４は、メニューをモニタ１０６に表示する。なお、モニタ１０６の解像度等の問題で、メニューの全項目を同時にモニタ１０６に表示できない場合は、図６に示すような画面をスクロールするキー６０２を表示して、このキー６０２を操作することでメニューの全項目を表示することができるようにする。
【００２７】
サービスマンは、メニューがモニタ１０６に表示されると、メンテナンスを起動する項目６０１を選択する（図５、Ｓ５０７）。この項目が選択されると、上記受付手段１０４は、上記起動手段１０３にメンテナンスモードの起動を指示する。
【００２８】
上記起動手段１０３は、メンテナンスモードの起動の指示があると、メンテナンスモードを実行するプログラムを記憶手段１０５から取得して、メンテナンスモードを起動する（図５、Ｓ５０８）。
【００２９】
モニタ１０６にメニューが表示された時に、サービスマンが、メンテナンスモードを起動する項目６０１以外の項目を選択した場合、上記受付手段１０４は、選択された項目に対応するモードを起動させる。
【００３０】
また、ステップＳ５０４の判別において、記憶媒体１１２にメンテナンスモードの起動を指示するプログラムが記憶されていないと判別された場合、上記受付手段１０４は、メンテナンスを起動する項目６０１を追加せずに、メニューをモニタ１０６に表示する。
【００３１】
以上のように、本実施の形態においては、メンテナンスモードを起動する項目６０１を表示するために、正当なパスワードの入力と、メンテナンスモードの起動を指示するプログラムが記憶された記憶媒体の装着が必要であるので、パスワードの漏洩があっても、第三者によってメンテナンスモードが起動されて、調整値が変更されることがない。
【００３２】
なお、メンテナンスモードが第三者に起動され難くするために、複合機の電源のオン・オフの切替を検知する電源検知手段１２１が電源のオフからオンの切替を検知した時のみ、上記判別手段１１１が上記判別を行ってもよい。
【００３３】
また、上記実施の形態１において、上記実施の形態２のように、図６のメニューからメンテナンスモードの項目を選択する形態としてもよい。この場合、受付手段１０４を設けて、プログラムが読み出されることによりメンテナンスモード項目をメニューに追加すればよい。
【００３４】
また、上記実施の形態１および２において、図２のメンテナンスキー２０４は記憶媒体に記憶されているプログラムが読み出されることにより、モニタ１０６に追加される用にしても良い。メンテナンスキー２０４をモニタ１０６に追加するのは、受付手段１０４が図６のメニューにメンテナンスモード項目を追加するのと同様にして行うことができる。ここで、パスワードの入力とその正当性の判断は、必然的に複合機１００への記憶媒体１１２の装着が検知された後になる。この場合、記憶媒体１１２が複合機１００へ装着されない限り、いかなるメンテナンスに関する表示もなされない。すなわち複合機１００がメンテナンスモードを備えていないように見える。そのため、第三者によるメンテナンスモードの操作を尚一層、防止することができる。
【００３５】
また、上記実施の形態１および２において、ＵＳＢメモリのようにホットスワップ可能な記憶媒体１１２の場合、複合機１００の電源投入後に記憶媒体を装着することも可能である。この場合、上記で判断手段１１１が入力されたパスワードを正当なパスワードと判断したときに、モニタ１０６に記憶媒体の装着を促す旨を表示して、パスワードが正当である旨を受付手段１０４に通知する（図５、Ｓ５０１→Ｓ５０２）。そして、モニタ１０６に記憶媒体を装着する旨が表示されると、メンテナンスモードの起動を指示するプログラムが記憶された記憶媒体１１２を複合機１００に装着するようにすればよい。
【００３６】
また、本発明のメンテナンスモード起動装置が適用される装置は、複合機に限らず、メンテナンスのできる機能が備えられた装置であればよい。例えばエレベータ、ビル空調、プラント設備、家電製品や情報機器などが上げられる。
【図面の簡単な説明】
【００３７】
【図１】メンテナンスモード軌道装置が適応された複写機の機能ブロック図。
【図２】モニタの模式図。
【図３】メンテナンスモードが起動されるまでの手順を示すフローチャート。
【図４】メンテナンスモードの画面を示す模式図。
【図５】メンテナンスモードが起動されるまでの手順を示すフローチャート。
【図６】メンテナンスモードを起動する項目が追加されたメニューの概念図。
【符号の説明】
【００３８】
１００  複合機
１０１  判別手段
１０２  読出手段
１０３  起動手段
１０４  受付手段
１０５  記憶手段
１０６  モニタ
１１０  入力手段
１１１  判断手段
１１２  記憶媒体
１２１  電源検知手段
【図１】
2006018714.tif 000003
【図２】
2006018714.tif 000004
【図３】
2006018714.tif 000005
【図４】
2006018714.tif 000006
【図５】
2006018714.tif 000007
【図６】
2006018714.tif 000008